(57)【要約】【課題】従来の布基礎部用残存型枠の構造では、解体撤去しなくてはならない部材が有り、残存型枠としての魅力が半減してしまう欠点が有るので、本考案は解体作業が一切無い布基礎部用残存型枠を提供する事を課題としている。【解決手段】対向する型枠同士の幅の保持及び連結にシャフトを用い、そのシャフトによる連結部を型枠中央部や周辺部に程好く配置し、バタ角及びバタ角受け金具を用いなくても、コンクリート圧による型枠の孕みや型枠のねじれが生じにくい構造とした。また、アンカーボルト設置金具や型枠上端部に設置されるセパレーターを解体撤去する手間を省く為、セパレーターの機能をアンカーボルト設置金具に統合し、更にアンカーボルト設置金具はコンクリート内に埋め込まれる様にすることで、解体作業が一切無い布基礎部用残存型枠を提供する事が可能となる。【選択図】        図１
0003135595.tif 000002
【実用新案登録請求の範囲】
【請求項１】
対向する型枠同士の固定にシャフトを用い、型枠の中央付近や周囲に配す事により、強固な構造体を造り、バタ角による型枠の補強を不要とし、バタ角及びバタ角受け金具の解体撤去の手間を省ける事を特徴とする布基礎部用残存型枠。
【請求項２】
アンカーボルト設置金具をコンクリート内に埋め込む構造にすることで、アンカーボルト設置金具の解体撤去の手間を省ける事を特徴とする請求項１に記載の布基礎部用残存型枠。
【考案の詳細な説明】
【技術分野】
【０００１】
本考案は住宅の布基礎部の施工に用いられ、施工後も撤去される事の無い残存型枠に関する。
【背景技術】
【０００２】
図３は従来の布基礎部用残存型枠を組んだ状態を示した斜視図である。セパレーター１２の両端には各々２本の立ち上がりが形成されており、その立ち上がりに型枠本体１１を嵌め込む事により、対向して設置される型枠本体１１同士の間隔を保持する部材である。また、セパレーター１２は布基礎位置の案内となる部品でもある為、布基礎位置を墨出しして設置位置を正確に割出し動く事の無い様に釘にてベタ基礎上面に固定される。
【０００３】
クリップ１８は型枠本体１１の裏側にあるリブに開けられた穴を利用し、横に連結される型枠本体１１同士を結合する部材である。
【０００４】
セパレーター１３はセパレーター１２と同じ構造になっており、型枠本体１１の上部に嵌められ、対向して設置される型枠本体１１同士の間隔を保持する部材である。
【０００５】
バタ角１５は型枠本体１１を補強する為の角パイプであり、バタ角受け金具１４にて型枠本体１１の側面に配置される。
【０００６】
アンカーボルト設置金具１６はアンカーボルト１７の位置を保持する部材であり、型枠本体１１の上部に嵌められ、動かない様にネジ等により仮止めされる。
【０００７】
布基礎部用残存型枠は図３の様に組まれた後、コンクリートを打設され、養生してコンクリートの硬化を待つ。コンクリートの硬化後、アンカーボルト設置金具１６、バタ角１５、バタ角受け金具１４、セパレーター１３は解体撤去され、解体されずに残った部材は残存型枠となりコンクリートと共に基礎の一部となる。
【特許文献１】特開２００７−６３８２３号公報
【考案の開示】
【考案が解決しようとする課題】
【０００８】
残存型枠としては型枠の解体撤去作業が全く無い事を売り文句にしたいところであるが、上記した従来の布基礎部用残存型枠の構造では、解体撤去しなくてはならない部材が有り、残存型枠としての魅力が半減してしまう欠点が有った。
【０００９】
そこで本考案は、解体撤去作業が一切無い布基礎部用残存型枠を提供する事を課題としている。
【課題を解決するための手段】
【００１０】
バタ角及びバタ角受け金具を用いなくても、コンクリート圧による型枠の孕みや、型枠のねじれが生じにくい構造とする為、対向する型枠同士の幅の保持及び連結にシャフトを用い、そのシャフトによる連結部を型枠中央部や周辺部に程好く配置する。
【００１１】
アンカーボルト設置金具を解体撤去する手間を省く為、アンカーボルト設置金具はコンクリート内に埋め込まれる位置に設置する様にする。
【００１２】
更に、型枠上端部に設置されるセパレーターを解体撤去する手間を省く為、アンカーボルト設置金具にセパレーターの機能を併用させ、セパレーターを不用とした。
【考案の効果】
【００１３】
対向する型枠同士の幅の保持及び連結にシャフトを用い、そのシャフトによる連結部を型枠中央部や周辺部に程好く配置する事により、バタ角で補強しなくても、コンクリート圧による型枠の孕みや型枠のねじれが生じにくい構造となり、バタ角及びバタ角受け金具を用いなくて済み、解体の手間は勿論の事であるが、組立や運搬の手間も省ける。
【００１４】
また、アンカーボルト設置金具やセパレーターの撤去も不要となる為、撤去する部材が一切無くなり、基礎工事に係る作業はコンクリート打設までとなり、コンクリートの養生期間を経た後、そのまま木工時に入れるようになり工期が短縮出来る。
【考案を実施するための最良の形態】
【００１５】
以下、本考案を実施するための最良の形態を図面に基づいて詳細に説明する。図１に示す様に型枠本体１の裏面にはネジ穴が加工された突起３がある。この突起３は型枠本体１の裏面の中央部や周辺部にバランス良く配置される。突起３の個数は型枠本体１のサイズにより適量に加減するものとする。
【００１６】
型枠本体２は型枠本体１と対向して設置され、型枠本体１の突起３と同じ位置にシャフト４が通る穴が開けてある。
【００１７】
シャフト４は両端にネジが加工してあり、パイプ６の中穴を通して、片方のネジを型枠本体１の突起３内のネジ部にねじ込み、型枠本体１に締結される。シャフト４は全体がネジでもかまわない。
【００１８】
パイプ６は型枠本体１と型枠本体２の間隔を固定する役割があり、布基礎の幅により長さが決められる。
【００１９】
型枠本体２の穴を通して出てきたシャフト４のネジ部にナット５を締結して、型枠本体１と型枠本体２はしっかりと固定される。
【００２０】
図２に示す様に、アンカーボルト設置具７は、コンクリートに完全に埋まるように、型枠本体１と型枠本体２の上端より５ｍｍから数ｃｍ下がった位置にビス１０等にて固定され、型枠の間隔を保持する作用も働く為、従来の型枠のセパレーターの役目も果たす。
【００２１】
アンカーボルト設置具７の中央の穴にアンカーボルト８を挿し、アンカーボルト８の高さを調節し、ボルト９を締め込み、アンカーボルト８を固定する。
【図面の簡単な説明】
【００２２】
【図１】本考案に係る布基礎部用残存型枠において、対向して設置される型枠同士を、シャフトを用いて固定した状態を示した斜視図ある。
【図２】本考案に係る布基礎部用残存型枠に使用するアンカーボルト設置具の組立状態を示した斜視図である。
【図３】従来の布基礎部用残存型枠を組んだ状態を示した斜視図である。
【符号の説明】
【００２３】
１    型枠本体
２    型枠本体
３    突起
４    シャフト
５    ナット
６    パイプ
７    アンカーボルト設置具
８    アンカーボルト
９    ボルト
１０    ビス
１１    型枠本体
１２    セパレーター
１３    セパレーター
１４    バタ角受け金具
１５    バタ角
１６    アンカーボルト設置金具
１７    アンカーボルト
【図１】
0003135595.tif 000003
【図２】
0003135595.tif 000004
【図３】
0003135595.tif 000005